(57)【要約】【課題】被写体までの正確な距離を検出することができない場合においても被写体の実寸法を測定することができる電子機器を提供する。【解決手段】被写体の周囲の一部の領域を少なくとも含む領域に対してスケール画像を投影する投影部１４と、前記投影部により前記スケール画像を投影した状態で前記被写体を撮像する撮像部８とを備える。【選択図】  図１
2011247810.tif 000002
【特許請求の範囲】
【請求項１】
被写体の周囲の一部の領域を少なくとも含む領域に対してスケール画像を投影する投影部と、
前記投影部により前記スケール画像を投影した状態で前記被写体を撮像する撮像部と
を備えることを特徴とする電子機器。
【請求項２】
前記投影部から前記被写体までの距離に基づく複数の前記スケール画像を備えることを特徴とする請求項１記載の電子機器。
【請求項３】
前記投影部により投影された前記スケール画像の大きさは、操作者により投影領域に含まれる目標物の大きさに基づいて変更されることを特徴とする請求項１記載の電子機器。
【請求項４】
前記スケール画像は、方眼状のスケールが表示される画像であることを特徴とする請求項１〜３の何れか一項に記載の電子機器。
【請求項５】
前記スケール画像は、直線状のスケールが縦横少なくとも一方に表示される画像であることを特徴とする請求項１〜３の何れか一項に記載の電子機器。
【請求項６】
前記撮像部により撮像された画像データに基づく画像に含まれる前記被写体の領域を判別する被写体判別部と、
前記被写体判別部により判別された前記被写体の領域を除く領域に前記スケール画像を投影する投影画像制御部と
を備えることを特徴とする請求項１〜５の何れか一項に記載の電子機器。
【請求項７】
前記投影画像制御部は、前記撮像部により撮像された前記画像データに基づく前記画像から判別された前記被写体の色情報に基づいて前記スケール画像の色を変更することを特徴とする請求項６記載の電子機器。
【発明の詳細な説明】
【技術分野】
【０００１】
本発明は、電子機器に関するものである。
【背景技術】
【０００２】
従来、被写体と背景の輝度差から検知した被写体の撮像画面中におけるサイズ、ＡＦ（オートフォーカス）機能により検出した被写体までの距離及びレンズのズーム位置検出により算出される画角に基づいて、被写体の実寸法を算出する電子カメラが存在する（例えば、特許文献１参照）。
【先行技術文献】
【特許文献】
【０００３】
【特許文献１】特開２００３−２４４５０１号公報
【発明の概要】
【発明が解決しようとする課題】
【０００４】
しかしながら、上述の電子カメラにおいては、被写体の実寸法を算出するためには、被写体までの正確な距離を検出する必要があった。
【０００５】
本発明の目的は、被写体までの正確な距離を検出することができない場合においても被写体の実寸法を測定することができる電子機器を提供することである。
【課題を解決するための手段】
【０００６】
本発明の電子機器は、被写体の周囲の一部の領域を少なくとも含む領域に対してスケール画像を投影する投影部と、前記投影部により前記スケール画像を投影した状態で前記被写体を撮像する撮像部とを備えることを特徴とする。
【発明の効果】
【０００７】
本発明によれば、被写体までの正確な距離を検出することができない場合においても被写体の実寸法を測定することができる。
【図面の簡単な説明】
【０００８】
【図１】第１の実施の形態に係るカメラのシステム構成を示すブロック図である。
【図２】第１の形態に係るカメラのスケール投影・撮像モードの処理を示すフローチャートである。
【図３】第１の実施の形態に係るカメラの投影状態を示す図である。
【図４】第１の実施の形態に係るカメラの投影状態を示す図である。
【図５】第２の実施の形態に係るカメラの投影状態を示す図である。
【発明を実施するための形態】
【０００９】
以下、図面を参照して、本発明の第１の実施の形態に係る電子機器であるデジタルカメラ（以下、カメラという）について説明する。図１は、第１の実施の形態に係るカメラのシステム構成を示すブロック図である。図１に示すように、カメラ２は、カメラ２の各部を統括的に制御する制御部４を備えている。制御部４には、操作部６、被写体を撮像する撮像部８、撮像部８から出力された撮像信号を図示しないＡ／Ｄ変換部においてＡ／Ｄ変換することにより生成された画像データを記憶する記憶部１０、撮像画像や投影画像の画像データを記憶するメモリカード１２、被写体の周囲の一部の領域を少なくとも含む領域に対して後述するスケール画像を投影する投影部１４及び撮像部８により撮像された画像データに基づく画像やカメラ２のモード設定のための表示を行う表示部１６が接続されている。ここで、操作部６は、電源スイッチ、レリーズボタン及びカメラ２のモード設定を行うモード設定ボタンを備えている。
【００１０】
また、記憶部１０には、投影部１４から被写体までの距離に応じた複数のスケール画像が記憶されている。なお、スケール画像は方眼状のスケールが投影される画像であり、投影部１４から被写体までの距離が５０ｃｍのときに用いるスケール画像、投影部１４から被写体までの距離が１００ｃｍのときに用いるスケール画像等が記憶されている。ここで何れのスケール画像も、投影部１４から被写体までの距離を予め指定されている距離に設定した場合に、被写体上に投影されるスケールの方眼の縦横の長さが５ｃｍとなるように構成されている。
【００１１】
また、投影部１４は、光源であるＬＥＤ光源１８の点灯、消灯及びＬＥＤ光源１８から射出される投影光の光量を調節する電源制御部２０、投影するスケール画像を表示するＬＣＯＳ２２の表示制御を行う投影制御部２４を備えている。
【００１２】
次に、図２のフローチャートを参照して第１の実施の形態に係るカメラ２のスケール投影・撮像モードの処理について説明する。先ず操作者が操作部６の電源スイッチをオンにし、モード設定ボタンを操作することによりカメラ２のモードをスケール投影・撮像モードに移行させる（ステップＳ１０）。スケール投影・撮像モードに移行すると、制御部４は、操作者に投影するスケール画像を指定させるための情報を表示部１６に表示する。ここで、操作者が操作部６を操作して投影部１４から被写体までの距離が５０ｃｍのときに用いるスケール画像を指定すると（ステップＳ１２）、制御部４は、記憶部１０から指定されたスケール画像の画像データを読み出して、投影制御部２４によりその画像データに基づくスケール画像をＬＣＯＳ２２に表示する。また、電源制御部２０によりＬＥＤ光源１８を点灯する。
【００１３】
操作者は、投影部１４から被写体までの距離が略５０ｃｍになるようにカメラ２本体の位置を調整する。そして、操作者が図示しないフォーカススライダを操作して載置面Ｗ上に投影されたスケール画像が鮮明となるようにピントを合わせると、図３に示すように被写体３０を含む領域に対して方眼の縦横の長さが５ｃｍの鮮明なスケール画像３２が投影される（ステップＳ１４）。
【００１４】
制御部４は、投影部１４によるスケール画像３２の投影開始と同時に、撮像部８により被写体３０を含む領域を撮像し（ステップＳ１６）、撮像部８から出力された撮像データに基づく画像を表示部１６に表示する。ここで、撮像データに基づく画像データは一時的に記憶部１０に記憶される。制御部４は、記憶部１０に記憶された画像データに基づく画像に含まれる被写体３０の領域を判別し（ステップＳ１８）、ＬＣＯＳ２２に表示されているスケール画像に代えて、判別された被写体３０の領域を除く領域にスケール画像投影するためのスケール画像をＬＣＯＳ２２に表示する。従って、図４に示すように投影部１４により制御部４において判別された被写体３０の領域を除く領域にスケール画像３２が投影される（ステップＳ２０）。
【００１５】
この状態において操作者がレリーズボタンを押下すると（ステップＳ２２、Ｙｅｓ）、制御部４は、撮像部８により被写体３０及び被写体の周囲に投影されたスケール画像３２をを撮像し（ステップＳ２４）、撮像された画像に基づく画像データを記憶部１０に記憶する。従って、操作者は記憶部１０に記憶された画像データに基づく画像を表示部１６に表示させることにより、スケール画像３２の方眼を用いて被写体３０の実寸法を容易に測定することができる。
【００１６】
なお、ステップＳ１２において、操作者が投影部１４から被写体までの距離が１００ｃｍの場合に用いられるスケール画像を指定した場合には、操作者が投影部１４から被写体までの距離を１００ｃｍとしてスケール画像の投影を行うことにより、上述の実施の形態と同様に被写体を含む領域に対して方眼の縦横の幅が５ｃｍの鮮明なスケール画像が投影されるため、被写体を含む領域にスケール画像の投影を行いつつ、撮像部８により被写体を含む領域を撮像することにより、被写体と共に撮像されたスケール画像３２の方眼を用いて被写体３０の実寸法を容易に測定することができる。
【００１７】
本発明の第１の実施の形態に係るカメラによれば、被写体までの正確な距離を検出することができない場合においても被写体の実寸法を測定することができる。また、被写体の実寸法を測定するスケール（物差し）を用いることなく、容易に被写体の実寸法を測定することができる。また、投影部から被写体までの距離に応じて投影部から投影するスケール画像を指定することができるため、ある程度大きい被写体であっても実寸法を測定することができる。
【００１８】
次に、本発明の第２の実施の形態に係るカメラについて説明する。なお、第２の実施の形態に係るカメラの構成は、図１に示すカメラ２と同様であるため、第２の実施の形態に係るカメラの説明においては、第１の実施の形態に係るカメラの構成に付したのと同一の符号を用いる。
【００１９】
先ず操作者が操作部６の電源スイッチをオンにし、ステップＳ１０と同様にモード設定ボタンを操作することによりカメラ２のモードをスケール投影・撮像モードに移行させ、レリーズボタンを半押しすると、記憶部１０から所定のスケール画像の画像データを読み出して、投影部１４により載置面Ｗ上に載置された被写体３０を含む領域に対して所定のスケール画像を投影する。そして、操作者は載置面Ｗ上に投影されたスケール画像３２の方眼の縦横の長さが所望の長さとなるように、投影部１４から被写体３０までの距離を調整する。即ち、図５に示すように、操作者は予め大きさが分かっている目標物（例えば１０ｃｍの長さの携帯電話３８）を載置面Ｗ上に載置し、投影部１４により投影されたスケール画像３２の２つ分の方眼の長さが携帯電話３８の大きさと一致するように、カメラ２本体の位置を調整する。
【００２０】
そして上述の第１の実施の形態の図２に示すステップＳ１６〜ステップＳ２４と同様の処理を行う。従って、操作者は記憶部１０に記憶された画像データに基づく画像を表示部１６に表示させることにより、スケール画像３２の方眼を用いて被写体３０の実寸法を容易に測定することができる。
【００２１】
本発明の第２の実施の形態に係るカメラによれば、本体から被写体までの距離を正確に検出できない場合においても被写体の実寸法を測定することができる。また、被写体の実寸法を測定するスケール（物差し）を用いることなく、被写体の実寸法を測定することができる。
【００２２】
なお、上述の実施の形態においては、方眼状のスケールが表示されるスケール画像を用いているが、直線状のスケールが縦横少なくとも一方に表示されるスケール画像を用いてもよい。
【００２３】
また、上述の実施の形態において、制御部４は、撮像部８により撮像された画像データに基づく画像から判別された被写体の色情報に基づいてスケール画像の色を変更するようにしてもよい。この場合に、例えば制御部４は、撮像部８により撮像された画像データに基づく画像から判別された被写体の色が全体的に黒いと判断した場合には、スケール画像に表示されるスケールの色を通常の黒色から白色に変更するようにしてもよい。
【００２４】
また、上述の実施の形態において、操作者が操作部６を操作して投影されるスケール画像の色を変更できるようにしてもよい。
【００２５】
また、上述の実施の形態においては、被写体３０の周囲にスケール画像３２が投影される状態（被写体３０上にはスケール画像３２が投影されない状態）において、被写体３０の撮像を行っているが、被写体３０上及び被写体３０の周囲にスケール画像３２が投影される状態において、被写体３０の撮像を行い、この画像を用いて被写体の実寸法を測定するようにしてもよい。この場合には、被写体の各部分の実寸法を正確に測定することができる。また、この場合には、被写体の色情報に基づいてスケール画像の色を変更するようにすることが有効である。
【符号の説明】
【００２６】
２…カメラ、４…制御部、８…撮像部、１４…投影部、２４…投影制御部、３０…被写体、３２…スケール画像。
【図１】
2011247810.tif 000003
【図２】
2011247810.tif 000004
【図３】
2011247810.tif 000005
【図４】
2011247810.tif 000006
【図５】
2011247810.tif 000007